【事件の表示】
　平成　８年特許願第２６０６８７号「重質油燃料焚きボイラの集塵灰と排脱排水の混合処理方法」拒絶査定に対する審判事件［平成１０年　４月２１日出願公開、特開平１０−　９９６３９］について、次のとおり審決する。
【結　論】
　本件審判の請求は、成り立たない。
【理　由】
１．本願発明
　本願は、平成８年１０月１日の出願であって、その請求項１〜４に係る発明は、平成１４年６月１７日付け手続補正書により補正された特許請求の範囲の請求項１〜４に記載された事項により特定されるとおりのものであるところ、請求項１に係る発明（以下、「本願発明」という）は、次の事項により特定されるとおりのものである。
「【請求項１】重質油を燃料とするボイラの排ガス煙道に設けられた集塵装置にて回収した集塵灰と湿式排煙脱硫装置から発生する排水とを混合し、５価のバナジウムを４価のバナジウムに還元する還元剤を添加して混合する混合工程と、該混合工程で得られる混合液からｐＨ３以下で未燃炭素を分離する未燃炭素分離工程と、該未燃炭素分離工程から出る未燃炭素分離液に水酸化マグネシウム及び／又はアンモニア水を添加してｐＨを３〜９とし、生成した高濃度バナジウム含有沈殿物を分離する固液分離工程と、該固液分離工程から出る分離液にさらに水酸化カルシウム又は酸化カルシウムを添加してｐＨを９〜１２とするｐＨ調整工程と、前記ｐＨ調整後の液を蒸留して濃縮する蒸留工程と、該蒸留工程で発生する蒸気を凝縮させアンモニア水を回収する凝縮工程とから構成されてなることを特徴とする重質油燃料焚きボイラの集塵灰と排脱排水の混合処理方法。」
２．引用刊行物
　これに対して、原査定の拒絶理由で引用された刊行物には、次の事項が記載されている。
（１）引例１：特開平８−１１７５５２号公報
（ａ）「重質油を燃料とするボイラの排ガス煙道に設けられた集塵装置にて回収した集塵灰と湿式排煙脱硫装置から発生する排水とを混合し、５価のバナジウムを４価のバナジウムに還元する還元剤を添加する混合工程と、前記混合工程で得られる混合液に水酸化マグネシウム及び／又はアンモニア水を添加してｐＨを３〜９とし、生成した高濃度バナジウム含有沈殿物を分離する固液分離工程と、前記固液分離工程から出る分離液にさらに水酸化カルシウム又は酸化カルシウムを添加してｐＨを９〜１２とするｐＨ調整工程と、前記ｐＨ調整後の液を蒸留して濃縮する蒸留工程と、該蒸留工程で発生する蒸気を凝縮させアンモニア水を回収する凝縮工程とから構成されてなることを特徴とする重質油燃料焚きボイラの集塵灰と排脱排水の混合処理方法。」（請求項１）
（ｂ）「１．混合工程及び固液分離工程におけるバナジウムの還元、析出は次の作用により行われる。
（１）集塵灰と排脱排水を混合した混合液の液相中のＶ（５価）は、ｐＨ３以下の状態で還元剤として添加されるＦｅ（２価）によって還元されてＶ（４価）となる。この主反応は溶存状態で生じ、次式で示される。
【化１】
　１／２Ｖ２ Ｏ７４−（５価）→ＶＯ２ （４価）（溶解状態）　（１）
　Ｆｅ２＋（２価）→Ｆｅ３＋（３価）　　　　　　　　　　　　（２）
　ここでは還元剤の１例として２価の鉄を挙げたが、５価バナジウムを４価に還元できるもので、本処理法に影響を及ぼさないものであれば他の還元剤でも支障なく使用できる。」（第３頁第４欄第１８行〜第３欄３０行）
（ｃ）「まず排脱排水ａ、集塵灰ｂ及び還元剤としての第１鉄塩ｃを混合工程１で混合して、集塵灰ｂを溶解させる。集塵灰ｂにはボイラーの運転状況によって異なるが、未燃炭素（Ｃ）、バナジウム（Ｖ）、マグネシウム（Ｍｇ）及び固定アンモニア（ＮＨ４＋ ）がそれぞれ５〜１０重量％、２〜５重量％、５〜１０重量％及び５〜１０重量％含まれている。集塵灰ｂの混合率は排脱排水ａに対して５〜４０重量％で、次工程以降の処理効率を上げるには３０重量％以下であることが好ましい。また第１鉄塩ｃとしては、塩化第１鉄又は硫酸第１鉄などが使用できる。第１鉄塩ｃの注入率は、理論的には混合液ｄ中のの５価のバナジウム（Ｖ）に対して等モル比でよいが、共存イオンの影響を考慮して等モル比以上を添加することが好ましい。なお排脱排水ａは弱酸性の石膏飽和液であるが、混合液ｄのｐＨは２〜３となる。この工程で５価のバナジウム（Ｖ）が４価に還元されるが、ｐＨが低いため４価バナジウム（Ｖ）は溶解している。」（第４頁第５欄第３６行〜第６欄第１０行）
（ｄ）「固液分離工程２で得られる沈殿物ｇには８重量％以上のバナジウム（Ｖ）が含まれており、その他の成分は未燃炭素（Ｃ）、Ｆｅ、Ａｌなどである。この沈殿物ｇは別途バナジウム回収用の原料として使用できる。なお、上澄液ｈにはバナジウム（Ｖ）はほとんど含まれていない（上澄液ｈの全バナジウム（Ｖ）は１ｍｇ／リットル以下である）。」（第４頁第６欄第１８〜２４行）
（２）引例２：特開昭５２−２３５０６号公報
（ａ）「本発明は硫酸アンモニウム副生を伴う煙道ガス脱硫法における前処理工程で、煙道ガスの冷却と同時に有害を重金属を除去，回収する方法に関するものである。」（第１頁左下欄第１５〜１８行）
（ｂ）「石油中には多くの金属元素が含有されているが、なかでもバナジウムとニッケルの含有率は高い。これらは精油工程で濃縮され、さらに重油の燃焼により燃焼灰中に濃縮されて排出される。」（第１頁右下欄第１〜５行）
（ｃ）「この硫酸アンモニウムの主な用途は植物の肥料に用いられるので重金属の共存は好ましく無く、また、これらの有効成分の回収が望まれる。資源に恵まれないわが国では、多くの資源の大部分を海外に依存している。バナジウムについてもＶ２Ｏ５として年間約２０００トン輸入しており、国内生産はチタン白製造の副産物と火力発電所の燃焼灰からの回収を合わせても約２００トン程度に過ぎない。」（第１頁右下欄第１４行〜第２頁左上欄第２行）
（ｄ）「ボイラー加熱炉等からの煙道ガスは通常１３０〜１８０℃の温度で導管１を通って本発明の処理工程２に供給する。処理工程２では導管３からのｐＨ２．５以下の循環液と導管４からの補給水と煙道ガスを直接接触させ、洗浄冷却と同時に重金属とカーボン等のダストを除去する。この重金属とダストを含まない５０〜８０℃の冷却された煙道ガスは導管６より脱硫工程へ供給する。処理工程２の溶液の大部分は導管３を経て、補給水を加えつつ繰り返し煙道ガス中の重金属の除去，除塵と冷却に用いる。溶液はｐＨ２．５以下を保つために導管５から硫酸を、導管７より脱硫工程等の後処理工程の溶液を、わずか混入させる。この添加量は燃焼に用いる重油の種類や脱硫溶液の条件により定まる。導管３の一部の溶液は不溶分として分散しているカーボン等のダストを分離するダスト分離工程８で分離して導管９からカーボン等のダストを取り出す。ダストを除いた溶液は導管１０を通じ重金属中和分離工程１１に送る。ダスト分離工程８では遠心分離機またはろ（原字はさんずいに戸、以下同じ）過機等が用いられる。重金属中和工程１１では導管１２からのアンモニアまたは導管１３からの脱硫循環溶液の単独またはこれら両者により溶液ｐＨ３〜６に中和し、重金属を沈澱させる。重金属の沈澱分離物は導管１４より抜き取る。重金属を除去した溶液は導管１５を通して脱硫装置に送る。重金属分離槽１１では、溶液ｐＨ３以上にするとバナジウム等の重金属は完全に沈澱するが、そのｐＨ値は脱硫工程の操作条件により定められる。」（第３頁左下欄第１行〜第４頁左上欄第１１行）
３．対比・判断
　引例１の上記（１）（ａ）には「重質油を燃料とするボイラの排ガス煙道に設けられた集塵装置にて回収した集塵灰と湿式排煙脱硫装置から発生する排水とを混合し、５価のバナジウムを４価のバナジウムに還元する還元剤を添加する混合工程と、前記混合工程で得られる混合液に水酸化マグネシウム及び／又はアンモニア水を添加してｐＨを３〜９とし、生成した高濃度バナジウム含有沈殿物を分離する固液分離工程と、前記固液分離工程から出る分離液にさらに水酸化カルシウム又は酸化カルシウムを添加してｐＨを９〜１２とするｐＨ調整工程と、前記ｐＨ調整後の液を蒸留して濃縮する蒸留工程と、該蒸留工程で発生する蒸気を凝縮させアンモニア水を回収する凝縮工程とから構成されてなることを特徴とする重質油燃料焚きボイラの集塵灰と排脱排水の混合処理方法」という発明（以下、「引例１発明」という）が記載されている。
　そこで、本願発明と引例１発明とを対比すると、両者は「重質油を燃料とするボイラの排ガス煙道に設けられた集塵装置にて回収した集塵灰と湿式排煙脱硫装置から発生する排水とを混合し、５価のバナジウムを４価のバナジウムに還元する還元剤を添加して混合する混合工程と、液に水酸化マグネシウム及び／又はアンモニア水を添加してｐＨを３〜９とし、生成した高濃度バナジウム含有沈殿物を分離する固液分離工程と、該固液分離工程から出る分離液にさらに水酸化カルシウム又は酸化カルシウムを添加してｐＨを９〜１２とするｐＨ調整工程と、前記ｐＨ調整後の液を蒸留して濃縮する蒸留工程と、該蒸留工程で発生する蒸気を凝縮させアンモニア水を回収する凝縮工程とから構成されてなることを特徴とする重質油燃料焚きボイラの集塵灰と排脱排水の混合処理方法」という点で一致し、次の点で相違している。
相違点：本願発明では、「混合工程で得られる混合液からｐＨ３以下で未燃炭素を分離する未燃炭素分離工程」を設け、「未燃炭素分離工程から出る未燃炭素分離液」に水酸化マグネシウム及び／又はアンモニア水を添加しているのに対して、引例１発明では、混合工程で得られる混合液に水酸化マグネシウム及び／又はアンモニア水を添加している点
　次に上記相違点を検討する。
  引例１の上記（１）（ｃ）には、混合工程後の混合液ｄのｐＨが２〜３となっていることが記載されている。そして上記（１）（ｂ）から混合工程はバナジウムを溶解状態にするために行われることがわかる。
　また、上記（１）（ｃ）（ｄ）から、集塵灰には未燃炭素（Ｃ）が含まれており、また固液分離工程で得られる沈殿物にも未燃炭素（Ｃ）が含まれていることが記載されている。
　以上のことから、ｐＨ２〜３の混合液ｄで未燃炭素（Ｃ）が溶解していないことが明らかである。
　一般に、有価物を回収する際に有価物以外の不純物を除去しようとすることは当然のことであるから、一旦有価物であるバナジウムを溶解状態にした際に、溶解していない不純物である未燃炭素（Ｃ）を除去しようとすること、すなわち「ｐＨ３以下で未燃炭素を分離する未燃炭素分離工程」を設けることは、当業者が容易に想到し得るものであると云える。
　ここで、この容易想到性を裏付けるために引例２をさらに検討する。
　引例２は、重油の燃焼による煙道ガス脱硫法に伴ってバナジウムを回収することをも目的とした技術である（上記（２）（ａ）〜（ｃ））。
　引例２の上記（２）（ｄ）には、「ボイラー加熱炉等からの煙道ガスを処理工程に供給し、処理工程では導管５からのｐＨ２．５以下の循環液と導管４からの補給水と煙道ガスを直接接触させ、洗浄冷却と同時に重金属とカーボン等のダストを除去し、この重金属とダストを含まない煙道ガスを脱硫工程へ供給する」ことが記載されている。
　そして、上記処理工程を出た液については、「導管３の一部の溶液は不溶分として分散しているカーボン等のダストを分離するダスト分離工程８で分離して導管９からカーボン等のダストを取り出す。ダストを除いた溶液は導管１０を通じ重金属中和分離工程１１に送る。ダスト分離工程８では遠心分離機またはろ過機等が用いられる。重金属中和工程１１では導管１２からのアンモニアまたは導管１３からの脱硫循環溶液の単独またはこれら両者により溶液ｐＨ３〜６に中和し、重金属を沈澱させる。重金属の沈澱分離物は導管１４より抜き取る。・・・溶液ｐＨ３以上にするとバナジウム等の重金属は完全に沈澱する・・・」（上記（２）（ｄ））と記載されている。
　以上のことから、引例２には、重油の燃焼によるボイラー加熱炉等からの煙道ガスを脱硫する前に、煙道ガスを洗浄冷却し、該洗浄冷却した液から、ｐＨ２．５以下にもかかわらず不溶分として分散しているカーボン等のダストを除去し、その後、中和し、バナジウム等の重金属を沈澱除去回収することが記載されていると云える。
　つまり、重油の燃焼による排ガスからバナジウムを回収する技術において、一旦バナジウムを溶解させ、その後バナジウムを沈澱除去回収する際に、溶解したバナジウムを沈澱させる前にカーボンを除去することは普通に行われていたものと云える。
  してみると、引例２からみても、引例１発明において「ｐＨ３以下で未燃炭素を分離する未燃炭素分離工程」を設けることは当業者が容易に想到し得る程度のことであると云える。
　したがって、本願発明は、引例１、２に記載された発明に基づいて当業者が容易に発明をすることができたものである。
４．むすび
　以上のとおり、本願請求項１に係る発明は、特許法第２９条第２項の規定により特許を受けることができない。
  よって、上記結論のとおり審決する。